(57)【特許請求の範囲】
【請求項１】
構造物の表面を保護するために該構造物表面に貼付される合成樹脂シートであって、上記合成樹脂シートの貼付面側に真空成形又は圧空成形により多数のアンカー材を包み込んで、該合成樹脂シートで包み込まれた各アンカー材を上記構造物の表層部に食い込ませることを特徴とする構造物表面に貼付される合成樹脂シート。
【請求項２】
上記アンカー材には逆テーパー形状のものを使用することを特徴とする請求項１記載の構造物表面に貼付される合成樹脂シート。
【請求項３】
上記アンカー材はその長さ方向にねじ孔を有することを特徴とする請求項１又は請求項２記載の構造物表面に貼付される合成樹脂シート。
【発明の詳細な説明】
【技術分野】
【０００１】
本発明は、例えば、断面Ｕ字状を呈して地中に埋設されるコンクリート製排水溝や同配線溝などの構造物の表面を保護するために、該構造物の表面に貼付される合成樹脂シートに関する。
【背景技術】
【０００２】
上記排水溝はコンクリート製のＵ字溝から成り、これを相互に突き合わせながら道路下に多数埋設して連続する排水路を形成しているが、この排水路内に大量の雨水が流れると、該排水路を画成するコンクリート面に流水による磨り減り現象が生じる。
【０００３】
下記の特許文献１には、上記Ｕ字溝の左右内側コンクリート面と内底コンクリート面に滑性な表面を有する合成樹脂シートを連続して貼付する構造が開示されている。
【０００４】
そして、上記滑性な表面を有する合成樹脂シートは、その貼付面とは反対側の面に多数の有底孔を形成することによって同貼付面に多数の突起を形成し、該各突起を上記コンクリート製のＵ字溝の表層部に食い込ませて、両者の結合を得、Ｕ字溝内での防鼠効果を図ったり、バクテリアの繁殖を抑制し、バクテリアが排水中の硫化水素と反応してコンクリートを劣化させることを防止している。
【先行技術文献】
【特許文献】
【０００５】
【特許文献１】特許第２９１４９０６号公報
【発明の概要】
【発明が解決しようとする課題】
【０００６】
しかし、上記従来のコンクリート製排水溝の下では、そのＵ字溝の表層部に食い込む突起が、形状的には単なる同径の円筒状を呈しているので、Ｕ字溝の排水路内で強い流水圧などを受けると、合成樹脂シート自体が上記各コンクリート面から剥がれ易い問題点を有していた。
【０００７】
そこで、本発明は、Ｕ字溝の左右内側コンクリート面や内底コンクリート面からの剥離を防止して、各コンクリート面の流水による磨り減り現象を有効に防止できる合成樹脂シートを提供せんとするものである。
【課題を解決するための手段】
【０００８】
本発明は、コンクリート製排水溝などの構造物の表面を保護するために該構造物表面に貼付される合成樹脂シートであって、合成樹脂シートの貼付面側に真空成形又は圧空成形により多数のアンカー材を包み込んで、該合成樹脂シートで包み込まれた各アンカー材を上記構造物の表層部に食い込ませて貼付されることを特徴とする。
【０００９】
好ましくは、上記アンカー材には逆テーパー形状のものを使用し、且つ、アンカー材はその長さ方向にボルトなどを螺合できるねじ孔を有する。
【発明の効果】
【００１１】
本発明は、真空成形法や圧空成形法の下で、合成樹脂シートの貼付面側に多数のアンカー材を包み込めるので、この状態のまま、各アンカー材をコンクリート製排水溝などの構造物の表層部に食い込ませれば、これにより、合成樹脂シートを構造物の表面に剥離することなく強固に貼付でき、該表面の磨り減り現象を有効に防止できる。上記真空成形法や圧空成形法で使用される成形枠には通常要求される金型が不要となるので、コストも安価となる。
【００１２】
特に、この場合、アンカー材に逆テーパー形状のものを積極的に使用すれば、より一層のアンカー効果を発揮して、合成樹脂シートの構造物の表面からの剥離を確実に防止できる。
【００１３】
又、アンカー材がその長さ方向にねじ孔を有するものであれば、ボルトなどを自在に螺合できるので、後付け施工製品（例えば、流水の堰き止め板や小動物の這い上がり構造など）を簡単に後付けでき、使用範囲が拡大できる。
【００１４】
合成樹脂シートの成形枠にアンカー材の位置決め部を設ければ、合成樹脂シートに対してアンカー材を位置決めして包み込むことが可能となるので、ねじ孔を有するアンカー材にあっては、ボルトなどとの螺合作業が精度をもって行なえる。
【図面の簡単な説明】
【００１５】
【図１】合成樹脂シートにアンカー材としての玉砂利を包み込んだ状態を示す要部拡大断面図である。
【図２】合成樹脂シートにアンカー材としての逆テーパー形状のナットを包み込んだ状態を示す要部拡大断面図である。
【図３】（Ａ）は真空成形に使用される成形枠の内底面に玉砂利を散布した状態を示す説明図、（Ｂ）は同成形枠に合成樹脂シートを被せた状態を示す説明図、（Ｃ）は成形枠から空気を抜いて同合成樹脂シートを玉砂利に密着させた状態を示す説明図である。
【図４】コンクリート製排水溝の成形用型枠を示す斜視図である。
【図５】同成形用型枠に玉砂利を包み込んだ合成樹脂シートを被せた状態を示す斜視図である。
【図６】同合成樹脂シートの上に補強用の鉄筋群をセットした状態を示す斜視図である。
【図７】完成されたコンクリート製排水溝の内側コンクリート面に合成樹脂シートが貼付された状態を示す斜視図である。
【図８】包み込まれた玉砂利が排水溝の表層部に食い込んでいる状態を示す要部拡大断面図である。
【図９】排水溝の内側コンクリート面に小動物の脱出用スロープを設置した状態を示す説明図である。
【図１０】真空成形又は圧空成形に使用される成形枠の内底面にアンカー材としてのナットの位置決め凹部を形成した状態を示す断面図である。
【図１１】ナットの包み込みにより各ナット間に括れが生じている状態を示す要部斜視図である。
【発明を実施するための最良の形態】
【００１６】
以下、本発明の実施の形態を図１乃至図１１に基づき詳述する。
【００１７】
本発明に係る合成樹脂シート１は、図１・図２に示すように、例えば、ポリプロピレンやポリエチレンなどの合成樹脂でシート状に成形されたものであるが、真空成形法又は圧空成形法を用いて、このシート１の貼付面１ａ側に多数のアンカー材２を規則的又は不規則的に包み込んで、該シート１で包み込まれた各アンカー材２をコンクリート製排水溝の表層部に食い込ませることにより、上記排水溝を構成するＵ字溝の左右内側コンクリート面と内底コンクリート面に連続して貼付されて、当該各コンクリート面を磨り減り現象などから有効に保護するものである。
【００１８】
ここで、上記アンカー材２としては、入手し易い玉砂利やプラスチックの塊や鉄球やナットやねじ等の小物を使用するが、アンカー材２として上記排水溝の表層部に食い込む関係で、いずれのものも、逆テーパー形状又はこれに近似した表層部から抜け外れ難い形状のものが好ましい。
【００１９】
そして、これらのアンカー材２を上記合成樹脂シート１で包み込む場合に、真空成形法で成形する時は、図３のＡに示すように、上面が開放された単なる箱状を呈する成形枠３の内底面にアンカー材２としての多数の玉砂利２ａを規則的又は不規則的に散布して、図３のＢ・Ｃに示すように、上記合成樹脂シート１を玉砂利２ａ上に被せ、熱を加えて合成樹脂シート１を玉砂利２ａに押し当て、上記成形枠３の穴４から空気を抜いて真空状態にして玉砂利２ａに密着させることにより、図１に示すような、貼付面１ａ側に多数の玉砂利２ａ（アンカー材２）を包み込んだ合成樹脂シート１が得られる。又、図中、３ａは成形枠３の蓋である。尚、図２はアンカー材２として逆テーパー形状のナット２ｂを包み込んだものである。
【００２０】
次に、この合成樹脂シート１で包み込まれた各アンカー材２をコンクリート製排水溝を構成するＵ字溝の左右内側コンクリート面と内底コンクリート面に食い込ませる場合には、型枠５を使用して両者を一体的に成形する。
【００２１】
この型枠５は、図４に示すように、Ｕ字溝にＵ字形状を付与する中央部型６と、該中央部型６の両端部に直立状態をもって固定される一対の端部型７と、中央部型６の両側部に開閉可能に連結される一対の側部型８とから成り、該各側部型８を閉じて上面の開放口から内部にモルタルやレジンコンクリートなどのコンクリート成形材料を充填して乾燥させ、後は、一対の側部型８を開けば、排水溝を構成するコンクリート製のＵ字溝が成形できる構成となっている。
【００２２】
これを詳しく説明すると、図５に示すように、一対の側部型８の開いた状態を得て、上記合成樹脂シート１を中央部型６の上からに逆さまに被せて、その状態のまま、図６に示すように、その上から補強用の鉄筋９群をセットした後、一対の側部型８を回動して閉じた状態を得て、その上面の開放口から内部に上記コンクリート成形材料を充填して乾燥させると、図７に示すように、その左右内側コンクリート面と内底コンクリート面に合成樹脂シート１が連続して貼付されたＵ字状のコンクリート製排水溝１０が得られる。尚、アンカー材２を包み込むことで、コンクリート成形材料の打設時や取扱時にアンカー材２が潰れることがない。
【００２３】
しかも、斯かるコンクリート製排水溝１０は、図８に示すように、上記多数のアンカー材２がそのアンカー効果を利用して各コンクリート面の表層部に強固に食い込んでいるので、強い流水圧などで、該合成樹脂シート１が容易に剥離することがなくなり、流水による各コンクリート面の磨り減り現象が有効に防止できる。
【００２４】
尚、この場合、アンカー材２に玉砂利２ａを使用しても、その自然の凹凸形状（アンカー形状）からの効果を得て、コンクリートの表層面に合成樹脂シート１を貼付することができるが、特に、図２に示すように、アンカー材２に長さ方向のねじ孔を有する逆テーパー形状のナット２ｂを使用すれば、合成樹脂シート１の剥離がより確実に防止できるので、その効果は甚大である。
【００２５】
又、アンカー材２に逆テーパー形状のナット２ｂを使用した場合には、該アンカー材２にボルト（図示せず）を螺合させることが可能となるので、斯かるボルト螺合構造を利用して、図９に示すように、Ｕ字溝からカメなどの小動物を脱出させるスロープ１１を設置すれば、排水溝１０に誤って落下して脱出するすべのない小動物を助けることも可能となる。
【００２６】
このような螺合構造において、合成樹脂シート１に対する上記ナット２ｂの包み込み位置を規制する必要がある場合には、例えば、図１０に示すように、成形枠３の内底面に位置決め用の凹部１２を所定の間隔をおいて形成して、該凹部１２内に逆テーパー形状のナット２ｂ下端を嵌合すれば、ナット２ｂの包み込み位置が規制できる。又、ボルトとの螺合結合を行なわない場合には、具体的には図示しないが、逆テーパー形状のアンカー材２に対して貫通する又は貫通しない差込孔を形成して、該差込孔に棒材などを圧入し、この棒材を利用して後付け施工製品などを後付けすることも可能となる。
【００２７】
又、これは、玉砂利２ａでも言えることであるが、特に、逆テーパー形状のナット２ｂなどを包み込むと、図１１に示すように、各ナット２ｂ間に括れ１ｂができて、コンクリート面から極めて抜けずらくなる。
【符号の説明】
【００２８】
１    合成樹脂シート
１ａ  貼付面
１ｂ  括れ
２    アンカー材
２ａ  玉砂利
２ｂ  逆テーパー形状のナット
３    成形枠
３ａ  成形枠の蓋
４    穴
５    型枠
６    中央部型
７    端部型
８    側部型
９    鉄筋
１０  Ｕ字状の排水溝
１１  スロープ
１２  凹部（位置決め部）
【図１】
0005547704.tif 000002
【図２】
0005547704.tif 000003
【図３】
0005547704.tif 000004
【図４】
0005547704.tif 000005
【図５】
0005547704.tif 000006
【図６】
0005547704.tif 000007
【図７】
0005547704.tif 000008
【図８】
0005547704.tif 000009
【図９】
0005547704.tif 000010
【図１０】
0005547704.tif 000011
【図１１】
0005547704.tif 000012